(57)【要約】      （修正有）【課題】単一指向性などの基本的性能を損なうことなく防滴化された、簡易な構造の単一指向性マイクロホン装置を提供する。【解決手段】前面に音声導入口を有し、かつ側面に指向穴を有する単一指向性マイクロホン装置において、前記音声導入口および前記指向穴が特定の通気度および耐水度を有する防水布によって覆われていることを特徴とする単一指向性マイクロホン装置。防水布は音声導入口および指向穴を取り囲むように接着部を有する両面接着テープによってマイクロホン装置に接着されている。【選択図】  図２
2006203468.tif 000002
【特許請求の範囲】
【請求項１】
前面に音声導入口を有し、かつ側面に指向穴を有するマイクロホンを含む単一指向性マイクロホン装置において、マイクロホンの音声導入口および指向穴が防水布によって覆われていることを特徴とする単一指向性マイクロホン装置。
【請求項２】
防水布がＪＩＳ  Ｌ１０９６フラジール形法による通気度２００ｃｍ３／ｃｍ２・ｓｅｃ以上およびＪＩＳ  Ｌ１０９２低水圧法・静止法による耐水度７．８ｃｍ以上を有することを特徴とする請求項１に記載の単一指向性マイクロホン装置。
【請求項３】
防水布が音声導入口および指向穴を取り囲むように接着部を有する両面接着テープによってマイクロホンに接着されていることを特徴とする請求項１または２に記載の単一指向性マイクロホン装置。
【発明の詳細な説明】
【技術分野】
【０００１】
本発明は、単一指向性を損なわずに防滴化された単一指向性マイクロホン装置に関する。なお、本発明では、以下、マイクロホン機能を構成する装置全体を「マイクロホン装置」と言い、マイクロホン装置の音声を電気信号に変換する電気音響変換素子部分を単に「マイクロホン」と言う。
【背景技術】
【０００２】
マイクロホンは、その指向性によって全ての方向に対して感度が同じである無指向性マイクロホンとマイクロホンの正面（前面）の感度が高い単一指向性マイクロホンなどの有指向性マイクロホンに大きく分類される。
【０００３】
マイクロホンの指向性とは、マイクロホンへの音波の入射角度に対する感度（出力電圧）の変化である。即ち、音波の到来方向による感度の違いを指向性と言い、特に前方からの音源に対して最も高い感度が得られるような一方向にのみ指向性を持ったマイクロホンを単一指向性マイクロホンと言う。
【０００４】
一個のマイクロホンで構成する単一指向性マイクロホン装置の基本的な構造は、マイクロホンの前面の音声導入口とは別に、側面または後面に指向性を生じさせる穴（本発明では「指向穴」と言う）があり、前面の音声導入口と側面または後面の指向穴から入力された音声に、振動板に達する距離によって位相遅れを生じさせ、前面の音声導入口からの入力音声以外をキャンセルする仕組みになっている。
【０００５】
かかる単一指向性マイクロホン装置は、プールサイドや雨天の状況で使用される場合があり、単一指向性を損なわずに防滴化されることが望まれている。かかる手段として、マイクロホンのケースの正面および側面、あるいは正面および後面に対して音波を伝播させるために通気性を保ちながらマイクロホンのケース全体を水が浸入しにくい構造になるよう工夫しているものが提案されているが、同時に音を伝播させるための通気性を備える必要があるため全体的に構造が複雑になり、簡易な構造で防滴化を図ることは難しいという問題がある。
【０００６】
また、前面の音声導入口以外に側面または後面に指向穴が必要ない構造の無指向性マイクロホンを二つ並べ、回路的に二つの無指向性マイクロホンの感度差を生じさせ、位相遅れを生じさせた単一指向性マイクロホンと同じ働きを促した構造のものに、前面の音声導入口に対して水が浸入しにくい構造になるよう工夫しているものも提案されているが、この方法では、マイクロホンが複数必要であるため、形状的に大きくなったり、コスト面で高価になるという問題がある。
【発明の開示】
【発明が解決しようとする課題】
【０００７】
本発明は、かかる従来技術の現状に鑑み創案されたものであり、その目的は、単一指向性などの基本的性能を損なうことなく防滴化された、簡易な構造の単一指向性マイクロホン装置を提供することにある。
【課題を解決するための手段】
【０００８】
本発明者は、かかる目的を達成するために簡単な構造で単一指向性を損なわずに防滴化が図れるマイクロホンの構造について鋭意検討した結果、マイクロホンの音声導入口と指向穴を防水布によって適切に覆うことによって簡単にマイクロホン装置の防滴化が達成されることを見い出し、本発明の完成に至った。
【０００９】
即ち、本発明は、前面に音声導入口を有し、かつ側面に指向穴を有するマイクロホンを含む単一指向性マイクロホン装置において、マイクロホンの音声導入口および指向穴が防水布によって覆われていることを特徴とする単一指向性マイクロホン装置である。
【００１０】
本発明の単一指向性マイクロホン装置の好ましい態様では、防水布がＪＩＳ  Ｌ１０９６フラジール形法による通気度２００ｃｍ３／ｃｍ２・ｓｅｃ以上およびＪＩＳ  Ｌ１０９２低水圧法・静止法による耐水度７．８ｃｍ以上を有する。
【００１１】
また、本発明の単一指向性マイクロホン装置の好ましい態様では、防水布が音声導入口および指向穴を取り囲むように接着部を有する両面接着テープによってマイクロホンに接着されている。
【００１２】
また、本発明の単一指向性マイクロホン装置の好ましい態様では、後面全面がシリコーン系の接着剤などによって防水処理されている。
【発明の効果】
【００１３】
本発明の単一指向性マイクロホン装置は、音声導入口および指向穴が特定の通気度および耐水度を有する防水布によって単に覆われているだけなので、簡易な構造で単一指向性等の性能を損なわずに防滴化を図ることができる。
【発明を実施するための最良の形態】
【００１４】
本発明の単一指向性マイクロホン装置の好適例を以下に説明するが、本発明の装置はこれに限定されるものではない。
【００１５】
図１は、本発明の単一指向性マイクロホン装置のマイクロホンを示す概略的斜視図を表し、（ａ）がマイクロホンの前面および側面を示し、（ｂ）がマイクロホンの側面および後面を示す。
【００１６】
本発明のマイクロホン装置は、単一指向性型のものであり、図１（ａ），（ｂ）に示すようにマイクロホンの外部が前面、側面、および後面からなり、前面に音声導入口を有し、側面に指向穴を有し、後面にカシメ部（図示せず）を有する。
【００１７】
本発明のマイクロホン装置は、マイクロホンの前面の音声導入口と側面の指向穴が防水布によって覆われており、また後面のカシメ部がシリコーン系の接着剤などによって防水処理されている。このようにマイクロホンの開口部を防水布やシリコーン系接着剤で被覆することにより、簡易な構造によって防滴化を図ることができる。
【００１８】
図２（ａ），（ｂ）はそれぞれ、本発明のマイクロホン装置のマイクロホンの前面および側面の防水布の被覆位置を示し、図２（ｃ）は、後面のシリコーン系接着剤の塗布位置を示す。防水布の被覆は、音声導入口および指向穴への水滴の侵入が防止できれば十分であるが、前面および側面を別個の防水布で全面的に被覆することが好ましい。シリコーン系接着剤の塗布位置も後面のカシメ部からの水滴の侵入を防止できれば十分であるが、後面を全面的にかつ側面の防水布に及ぶまで塗布し、防水被覆することが好ましい。
【００１９】
本発明で使用する防水布は、音声の導入のための通気性および水滴浸入防止のための耐水性が必要であり、従来公知の布からそのような特性を有するものを適宜選択すればよい。防水布に必要な特性は、ＪＩＳ  Ｌ１０９６フラジール形法による通気度２００ｃｍ３／ｃｍ２・ｓｅｃ以上およびＪＩＳ  Ｌ１０９２低水圧法・静止法による耐水度７．８ｃｍ以上である。防水布がこれらの特性を満たさなければ、プールサイドや雨天の状況においてマイクロホンが水に漏れると通気性が悪化して音声の導入が悪くなり、前面の音声導入口からの入力音声以外をキャンセルする効果が損なわれて指向性が失われてしまうおそれがある。本発明で使用する防水布の例としては、ポリテトラフルオロエチレン多孔質膜加工品およびポリエステルクロス加工品等が挙げられる。
【００２０】
マイクロホンの前面および側面への防水布の被覆方法としては、従来公知の方法を適用採用しうるが、例えば両面接着テープまたは接着剤の塗布によって行うことができる。但し、接着部は、マイクロホンの前面の音声導入口および側面の指向穴に及ばないようにし、これらを取り囲むようにすることが必要である。なぜならば、この部分の音声の導入が損なわれて単一指向性を失うおそれがあるからである。両面接着テープによって防水布をマイクロホンに接着して被覆する場合は、例えば図３（ａ），（ｂ）のように前面の音声導入口および側面の指向穴を取り囲むように接着剤を設けて防水布をマイクロホンに接着する。
【００２１】
一方、本発明のマイクロホンの後面は、製造時にカシメ部などに生ずる隙間ができることから、従来公知の方法によりシリコーン系の接着剤を塗布し、完全に防水被覆することが好ましい。本発明のマイクロホン装置は、後面には音声が通過する開口部を設けないので、防水性のみを考慮すればよい。
【産業上の利用可能性】
【００２２】
上述のように構成された本発明のマイクロホン装置は、単一指向性を損なわずに簡易な構造で防滴化を図ることができ、プールサイドや雨天の状況においても良好に使用可能である。
【図面の簡単な説明】
【００２３】
【図１】本発明のマイクロホン装置（防水布なし）の概略的斜視図であり、（ａ）はマイクロホンの前面および側面を示し、（ｂ）はマイクロホンの側面および後面を示す。
【図２】本発明のマイクロホン装置の防水布の被覆位置およびシリコーン系接着剤の塗布位置を示し、（ａ）はマイクロホンの前面の防水布の被覆位置を示し、（ｂ）はマイクロホンの側面の防水布の被覆位置を示し、（ｃ）はマイクロホンの後面のシリコーン系接着剤の塗布位置を示す。
【図３】本発明のマイクロホン装置で使用する防水布の接着部を示し、（ａ）はマイクロホンの前面用防水布の接着部を示し、（ｂ）はマイクロホンの側面用防水布の接着部を示す。
【図１】
2006203468.tif 000003
【図２】
2006203468.tif 000004
【図３】
2006203468.tif 000005